(57)【要約】【課題】部品が収納された箱に表示端末を取り付け、管理コンピュータから提供される部品選択命令に従って、前記表示端末を介して部品受取案内情報をディスプレイさせることによって、作業者が手軽く自身が受取すべき部品を把握できるようにする部品選択情報の提供システム及びそれによる方法を提供する。【解決手段】前記システムは、無線ネットワークと、所定の部品が収納された多数の箱の各々に取り付けられ、外部から受信された部品選択命令に従って、部品受取案内情報をディスプレイさせる多数の表示端末と、全システムの動作を制御及び管理する管理コンピュータと、を備える。前記管理コンピュータは、部品と表示端末とに対する識別情報がマッピングされた管理テーブルを備える。【選択図】図１
2008027440.tif 000002
【特許請求の範囲】
【請求項１】
部品選択情報の提供システムにおいて、
無線ネットワークと、
所定の部品が収納された多数の箱の各々に取り付けられ、前記無線ネットワークを介して受信された部品選択命令に従って、該当部品の受取案内情報を出力する多数の表示端末と、
部品についての識別情報及び表示端末に対する識別情報がマッピングされた部品管理テーブルを備え、もし、部品の識別情報または表示端末の識別情報が入力される場合、前記部品の識別情報に対応する表示端末または前記表示端末の識別情報に対応する表示端末に、前記無線ネットワークを介して前記部品選択命令を送信する管理コンピュータと、
を含み、
前記表示端末は、前記管理コンピュータから受信された部品選択命令に従って、該当部品の受取案内情報を出力することを特徴とする部品選択情報の提供システム。
【請求項２】
前記管理コンピュータに入力される部品の識別情報または前記表示端末の識別情報は、管理コンピュータまたは前記管理コンピュータと繋がったネットワークコンピュータを介して入力されることを特徴とする請求項１に記載の部品選択情報の提供システム。
【請求項３】
前記表示端末は、もし、外部から前記受取確認情報が入力される場合、前記受取確認情報を、前記無線ネットワークを介して前記管理コンピュータに送信し、もし、前記管理コンピュータから部品の選択終了命令が受信される場合、受取案内情報の出力を終了し、
前記管理コンピュータは、前記表示端末からの受取確認情報によって前記表示端末に部品の選択終了命令を送信することを特徴とする請求項１に記載の部品選択情報の提供システム。
【請求項４】
前記表示端末は、
前記表示端末の動作を制御する制御部と、
所定のランプからなり、前記制御部の制御によって動作する点灯部と、
前記制御部から提供される情報をディスプレイさせる情報表示部と、
を備え、
前記制御部は、前記管理コンピュータから部品選択命令を受信する場合、前記点灯部を点灯し、前記情報表示部に受取案内情報をディスプレイさせることを特徴とする請求項１に記載の部品選択情報の提供システム。
【請求項５】
前記表示端末の前記制御部は、前記管理コンピュータから部品の選択終了命令を受信する場合、前記点灯部を滅灯し、前記情報表示部にディスプレイされた受取案内情報を削除することを特徴とする請求項４に記載の部品選択情報の提供システム。
【発明の詳細な説明】
【技術分野】
【０００１】
本発明は、部品管理システムに関し、より詳細には、部品についての受取情報を作業者に案内できる部品選択情報の提供システム及び方法（Method and system for providing information of parts-selection）に関する。
【背景技術】
【０００２】
一般に、物流管理システムは、必要な多数の物品または部品を製造工程に符合するように移送する。上記した物流管理システムとしては、大韓民国特許庁に「半導体製造工場の物流システム」を名称として特許出願された第１９９６-００４５０９０号がある。
【０００３】
上記した特許出願された物流システムは、ベイ(Bay)を走行しながら、前記移送物を搬送する自動搬送車両と、前記移送物に対する生産情報及び物流情報を管理し、搬送が発生すると、搬送のための制御情報を出力する制御手段と、前記制御情報を読み取って、搬送のための前記自動搬送車両の移動及び動作を通信で制御する自動搬送車両の制御手段とから構成される。
【０００４】
上記した物流システムは、作業者に必要な物品または部品を、自動搬送車両を介して移送及び搬送して、物流システムの内部の物品または部品を体系的、かつ、効果的に運用及び管理できるようにする。
【０００５】
ところが、作業工程時に要求される物品及び部品の種類が多様であり、毎工程時に必要な物品及び部品が異なっている場合に、作業者は、自動移送された物流または資材ラックに収納された物流及び部品の中から、工程時に必要な部品のみを選別して受け取ることが容易でないという問題があった。
【０００６】
このため、従来は、伝票を利用して、作業者が必要な部品を識別できるようにしていた。上記したように、必要な部品を、伝票を利用して識別することは、多くの時間がかかると共に、工程上でもエラーを発生させる確率が高い。
【０００７】
このため、従来、作業者が受け取るべき物品または部品についての情報を容易に認識できるように案内できる技術の開発が切実に望まれた。
【特許文献１】韓国特許出願公開第１９９６−００４５０９０号明細書
【発明の開示】
【発明が解決しようとする課題】
【０００８】
本発明は、上述した従来の問題点を克服するためのものであって、部品が収納された箱に表示端末を取り付け、管理コンピュータから提供される部品選択命令に従って前記表示端末を介して部品受取案内情報をディスプレイさせることによって、作業者が、手軽に自身が受取すべき部品を把握できるようにする部品選択情報の提供システム及びそれによる方法を提供することを目的とする。
【課題を解決するための手段】
【０００９】
上述した技術的な課題を達成するための本発明の特徴に係る部品選択情報の提供システムは、無線ネットワークと、それぞれ異なる物品や部品が収納された多数の箱の各々に取り付けられ、前記無線ネットワークを介して受信された部品選択命令に従って、該当部品の受取情報を案内する多数の表示端末と、部品の識別情報と表示端末の識別情報とがマッピングされた管理テーブルと、を備え、もし、部品の識別情報または表示端末の識別情報が入力される場合、前記部品の識別情報に対応する表示端末または前記表示端末の識別情報に対応する表示端末に、前記無線ネットワークを介して前記部品選択命令を送信する管理コンピュータを含む。
【００１０】
本発明は、物品または部品(以下、便宜上‘部品'と略称する)が収納された箱に表示端末を取り付け、前記管理コンピュータから受信される部品選択命令に従って、前記表示端末は、該当部品の受取案内情報をディスプレイする。これにより、作業者は、箱の表示端末に表示された受取案内情報を参照して、自身が受け取るべき部品を容易に識別できるようになる。
【発明の効果】
【００１１】
上述したように、本発明は、部品が収納された箱に、作業者に受取案内情報を表示する表示端末を取り付け、管理コンピュータから伝送された部品選択命令に従って、前記表示端末に該当部品の受取案内情報を表示することによって、作業者が、自身が取得する物品または部品を容易に認識できるようにする。
【００１２】
このような本発明は、ＰＡＮコーディネーター及び無線ルータにより構成される無線ネットワークを介して、部品選択情報を作業者に提供できるようにすることで、作業工程の変化によってシステム構造が変更されても、部品選択情報の提供システムの変形が不要であり、維持保守が容易であるという利点がある。
【発明を実施するための最良の形態】
【００１３】
本発明の好ましい実施例は、管理コンピュータまたはネットワークコンピュータを介して、受取対象の部品についての識別情報、または、前記受取対象の部品が収納された箱に取り付けられた表示端末の識別情報が入力される場合、前記管理コンピュータが、該当表示端末に部品選択命令を送信して、該当表示端末の点灯部を点灯させることによって、作業者に該当部品の受取案内情報を報知する。
【００１４】
このような本発明の好ましい実施例に係る部品選択情報の提供システムを、図１を参照して説明する。
【００１５】
前記部品選択情報の提供システムは、大きく、管理コンピュータ１００と、多数の資材ラック１０２Ａ〜１０２Ｄ内の部品箱に各々取り付けられ、部品の受取関連情報を表示する表示端末１０４Ａ〜１０４Ｄ＋Ｎと、表示端末１０４Ａ〜１０４Ｄ＋ＮとＰＡＮ(Personal Area Network)コーディネーター(coordinator)１０８とをインターフェースする多数の無線ルータ１０６Ａ〜１０６Ｄと、多数の無線ルータ１０６Ａ〜１０６Ｄと管理コンピュータ１００とをインターフェースするＰＡＮコーディネーター１０８とから構成される。
【００１６】
上記した管理コンピュータ１００は、前記部品選択情報の提供システムを全般的に制御する。特に、もし、管理者から表示端末の識別情報または部品の識別情報が入力される場合、前記管理コンピュータ１００は、前記表示端末の識別情報または部品の識別情報に対応する表示端末に部品選択命令を送信する。また、もし、前記表示端末から受取確認情報が伝送される場合、前記管理コンピュータ１００は、該当表示端末に、部品の選択終了命令を送信する。
【００１７】
また、管理コンピュータ１００は、内部メモリーで部品管理テーブルを管理する。前記部品管理テーブルは、図２に示すように、各資材ラック１０２Ａ〜１０２Ｄに収納される箱に収納される部品についての識別情報と、表示端末についての識別情報と、該当部品等の受取確認情報とが各々対応付けられて格納される。
【００１８】
表示端末１０４Ａ〜１０４Ｄ＋Ｎの各々は、管理コンピュータ１００から提供される部品選択命令に従って点灯部を点灯し、部品の受取案内情報を、情報表示部２０８を介して表示したり、作業者からの受取ボタンのクリックによる受取確認情報を管理コンピュータ１００に伝送したり、管理コンピュータから提供される部品の選択終了命令に従って点灯部を滅灯し、情報表示部から部品の受取案内情報を削除させる。
【００１９】
上記した表示端末１０４Ａ〜１０４Ｄ＋Ｎの構成及び動作は、同一であるので、以下、そのうちの表示端末１０４Ａの構成及び動作のみを、図３を参照して詳細に説明する。
【００２０】
前記表示端末１０４Ａは、無線通信モジュール２００と、制御部２０２と、点灯部２０４と、受取ボタン２０６と、情報表示部２０８とから構成される。
【００２１】
前記無線通信モジュール２００は、無線ルータ１０６Ａ及びＰＡＮコーディネーター１０８を介して管理コンピュータ１００と通信し、特に、管理コンピュータ１００は、部品選択命令及び部品の選択終了命令を該当表示端末１０４Ａに提供する。
【００２２】
制御部２０２は、管理コンピュータ１００が送信する部品選択命令に従って点灯部２０４を点灯すると共に、前記部品選択命令による部品の受取案内情報を、情報表示部２０８を介して表示する。
【００２３】
もし、作業者からの受取ボタン２０６のクリックによる受取確認情報が提供される場合、制御部２０２は、前記受取確認情報を管理コンピュータ１００に伝送する。
【００２４】
また、制御部２０２は、管理コンピュータ１００が送信する部品の選択終了命令に従って点灯部２０４を滅灯すると共に、情報表示部２０８に表示された部品の受取案内情報を削除する。
【００２５】
点灯部２０４は、制御部２０２の制御によって点灯または滅灯される。
【００２６】
受取ボタン２０６は、所定のボタンからなり、外部からのボタンクリックによって受取確認情報を制御部２０２に提供する。
【００２７】
情報表示部２０８は、制御部２０２の制御による情報をディスプレイさせる。
【００２８】
今、上記したように構成される部品選択情報の提供システムの動作を、図４に示した本発明の好ましい実施例に係る部品選択情報の提供方法のフローチャートを参照して説明する。
【００２９】
管理者または作業者等は、管理コンピュータ１００を介して、作業時に必要な部品についての識別情報または該当部品が収納された箱に取り付けられた表示端末の識別情報を入力することができる(ステップ３０２)。ここで、前記管理者または作業者は、管理コンピュータ１００とネットワークに繋がったネットワークコンピュータなどを介して、前記部品の識別情報または端末の識別情報を入力することもできる。
【００３０】
もし、前記部品についての識別情報が入力される場合、管理コンピュータ１００は、管理テーブルから該当部品の識別情報に対応する表示端末の識別情報を読み出す。
【００３１】
もし、前記表示端末の識別情報が管理者などから入力され、管理テーブルから読み出される場合、管理コンピュータ１００は、該当表示端末に部品選択命令を送信し、前記部品選択命令は、ＰＡＮコーディネーター１０８と無線ルータ１０６Ａ〜１０６Ｄとを介して、該当表示端末に無線送信される(ステップ３０４)。
【００３２】
前記部品選択命令を受信した表示端末は、前記部品選択命令に従って点灯部を点灯すると共に、前記部品の受取案内情報を情報表示部に表示することによって、作業者に該当箱に収納された部品を受け取るように案内する(ステップ３０６)。ここで、前記作業者は、前記点灯された表示端末が取り付けられた箱に収納された部品を受け取った後、受取ボタンを入力する。
【００３３】
前記表示端末は、前記作業者により受取ボタンが入力されると、受取確認情報を管理コンピュータ１００に送信し、前記受取確認情報は、ＰＡＮコーディネーター１０８と無線ルータ１０６Ａ〜１０６Ｄとを介して無線送信される(ステップ３０８)。
【００３４】
前記受取確認情報を受信した管理コンピュータ１００は、前記受取確認情報によって該当部品の受取がなされたかを確認後、該当表示端末に部品の選択終了命令を送信する(ステップ３１２)。
【００３５】
前記部品の選択終了命令を受信した表示端末は、前記部品の選択終了命令に従って点灯部を滅灯し、情報表示部に表示された情報を除去する(ステップ３１４)。
【００３６】
以上のように、本発明は限定された実施例と図面により説明されたが、本発明は、上記の実施例に限定されるものでなく、本発明が属する分野において通常の知識を有する者には、このような記載から様々な修正及び変形が可能である。
【００３７】
したがって、本発明の思想は、本願明細書に記載の特許請求範囲のみによって把握されるべきであり、これらの均等または等価的な変形は共に本発明の思想の範疇に属する。
【図面の簡単な説明】
【００３８】
【図１】本発明の好ましい実施例に係る部品選択情報の提供システムの構成図。
【図２】本発明の好ましい実施例に係る部品管理テーブルを例示した図。
【図３】本発明の好ましい実施例に係る表示端末の構成図。
【図４】本発明の好ましい実施例に係る部品選択情報の提供方法の手順図。
【符号の説明】
【００３９】
１００  管理コンピュータ
１０２Ａ、１０２Ｂ、１０２Ｃ、１０２Ｄ  資材ラック
１０４Ａ、１０４Ｂ、１０４Ｃ、１０４Ｄ  表示端末
１０６Ａ、１０６Ｂ、１０６Ｃ、１０６Ｄ  無線ルータ
１０８  ＰＡＮコーディネーター
２００  無線通信モジュール
２０２  制御部
２０４  点灯部
２０６  受取ボタン
２０８  情報表示部
【図２】
2008027440.tif 000003
【図３】
2008027440.tif 000004
【図４】
2008027440.tif 000005
【図１】
2008027440.tif 000006